【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
コンピュータネットワーク上のコンピュータ装置間で通信するためのシステムであって、
各々がコンピュータネットワークへの通信チャネルを選択的に開閉する１つ以上のコンピュータ装置と、
各装置に含まれる複数の装置資源であって、通信チャネルを選択的に使用して、他の装置とネットワークを横切って通信する複数の装置資源とを含み、
装置が該ネットワークへの通信チャネルを選択的に開くと、装置資源が通信チャネルの使用を中断した後で、該装置が、通信チャネルを閉じるのを最適に遅らせ、開チャネルを閉じる前に、他の装置資源がその開チャネルを使用するのを選択的に許可し、通信チャネルを閉じる最適遅延が、前記コンピュータネットワーク上に接続された１つ以上のサーバにおいて決定されるシステム。
【請求項２】
装置資源が通信チャネルの使用を中断した後で、通信チャネルを閉じる最適遅延が、所定期間続く請求項１記載のシステム。
【請求項３】
通信チャネルを閉じる最適遅延の所定期間が、開チャネルを閉じる前に、別の装置資源がそのチャネルを使用するときにリセットされる請求項２記載のシステム。
【請求項４】
通信チャネルを閉じる最適遅延が、特定の装置資源が開チャネルを横切って通信することに基づく請求項２記載のシステム。
【請求項５】
システムが、開チャネルのデフォルトの所定期間を含み、最適遅延が、デフォルトの所定期間の経過前に、開チャネルを閉じる請求項４記載のシステム。
【請求項６】
コンピュータネットワークが無線ネットワークである請求項１記載のシステム。
【請求項７】
無線ネットワークが、セルラ遠隔通信ネットワークである請求項６記載のシステム。
【請求項８】
装置資源が通信チャネルの使用を中断した後で、通信チャネルを閉じる最適遅延を、装置資源が使用するデータに基づいて判断する請求項１記載のシステム。
【請求項９】
装置資源が使用するデータが、装置上に記憶される請求項８記載のシステム。
【請求項１０】
装置資源が通信チャネルの使用を中断した後で、通信チャネルを閉じる最適遅延を、１つ以上のサーバに記憶されている、装置資源が使用するデータに基づいて判断する請求項４記載のシステム。
【請求項１１】
コンピュータネットワーク上の装置間で通信するためのシステムであって、
各々がコンピュータネットワーク上への通信チャネルを選択的に開閉するための通信手段を含む１つ以上のコンピュータ装置と、
各装置に含まれる複数の装置資源であって、通信チャネルを選択的に使用して、ネットワークを横切って他の装置と通信する複数の装置資源と、
装置にさらに含まれる遅延手段であって、装置資源が通信チャネルの使用を中断した後で、開通信チャネルを閉じるのを最適に遅らせて、ネットワークを横切って通信するための開チャネルを閉じる前に、他の装置資源がそのチャネルを使用できるようにする遅延手段と、
開通信チャネルを閉じる最適遅延を決定する、前記コンピュータネットワーク上に接続された１つ以上のサーバとを含むシステム。
【請求項１２】
各々がコンピュータネットワーク上の通信チャネルを選択的に開閉する１つ以上のコンピュータ装置間で通信するための方法であって、各装置が複数の装置資源を含み、複数の装置資源が、通信チャネルを選択的に使用して、ネットワークを横切って他の装置と通信し、
装置からネットワークへの通信チャネルを選択的に開くステップと、
装置資源が通信チャネルの使用を中断した後で、通信チャネルを閉じるのを最適に遅らせるステップと、
開通信チャネルを閉じる前に、他の装置資源がそのチャネルを使用することを選択的に許可するステップと、
通信チャネルを閉じる最適遅延を前記コンピュータネットワーク上に接続された１つ以上のサーバにおいて決定するステップとを含む方法。
【請求項１３】
通信チャネルを閉じるのを最適に遅らせるステップが、所定期間の経過後に、通信チャネルを閉じるのを最適に遅らせる請求項１２記載の方法。
【請求項１４】
所定の最適な期間の経過後に、通信チャネルを閉じるステップをさらに含む請求項１３記載の方法。
【請求項１５】
開チャネルを閉じる前に、別の装置資源がそのチャネルを使用するとき、通信チャネルを閉じる最適遅延の所定期間をリセットするステップをさらに含む請求項１２記載の方法。
【請求項１６】
通信チャネルを閉じるのを最適に遅らせるステップが、特定の装置資源が開チャネルを横切って通信することに基づく請求項１２記載の方法。
【請求項１７】
通信チャネルを閉じるのを最適に遅らせるステップが、開チャネルのデフォルトの所定期間の経過後に、通信チャネルを閉じるのを遅らせることであり、デフォルトの所定期間の経過前に、開チャネルを閉じるステップをさらに含む請求項１３記載の方法。
【請求項１８】
コンピュータネットワークが無線ネットワークであることと、
装置からネットワークへの通信チャネルを選択的に開くステップが、無線装置から無線ネットワークへの通信チャネルを選択的に開くことである請求項１２記載の方法。
【請求項１９】
無線ネットワークがセルラ遠隔通信ネットワークであって、
無線装置から無線ネットワークへの通信チャネルを選択的に開くステップが、セルラ装置からセルラ遠隔通信ネットワークへの通信チャネルを選択的に開くことである請求項１８記載の方法。
【請求項２０】
通信チャネルを閉じるのを最適に遅らせるステップが、装置資源が使用するデータに基づいて、通信チャネルを閉じるのを最適に遅らせることである請求項１２記載の方法。
【請求項２１】
装置資源が使用するデータを装置上に記憶するステップをさらに含む請求項２０記載の方法。
【請求項２２】
通信チャネルを閉じるのを最適に遅らせるステップが、１つ以上のサーバに記憶された装置資源が使用するデータに基づいて、通信チャネルを閉じるのを最適に遅らせることである請求項１６記載の方法。
【請求項２３】
各々がコンピュータネットワーク上の通信チャネルを選択的に開閉する１つ以上のコンピュータ装置間で通信するための方法であって、各装置が複数の装置資源を含み、複数の装置資源が、通信チャネルを選択的に使用して、ネットワークを横切って他の装置と通信し、
装置からネットワークへの通信チャネルを開くための通信ステップと、
装置資源が通信チャネルの使用を中断した後で、通信チャネルを閉じるのを最適に遅らせるための閉鎖遅延ステップと、
開通信チャネルを閉じる前に、他の装置資源がそのチャネルを使用することを選択的に許可する使用許可ステップと、
通信チャネルを閉じる最適な閉鎖遅延を前記コンピュータネットワーク上に接続された１つ以上のサーバにおいて決定するステップとを含む方法。
【請求項２４】
コンピュータネットワークへの通信チャネルを選択的に開閉するコンピュータ装置であって、装置が複数の装置資源を含み、複数の装置資源が、通信チャネルを選択的に使用して、ネットワークを横切って他の装置と通信し、装置が通信チャネルを選択的に開くと、装置資源が通信チャネルの使用を中断した後で、装置が、通信チャネルを閉じるのを最適に遅らせ、開チャネルを閉じる前に、他の装置資源がそのチャネルを使用するのを選択的に許可し、通信チャネルを閉じる最適遅延の決定情報を前記コンピュータネットワーク上に接続された１つ以上のサーバから受信するコンピュータ装置。
【請求項２５】
装置資源が通信チャネルの使用を中断した後で、通信チャネルを閉じる最適遅延が、所定期間続く請求項２４記載の装置。
【請求項２６】
通信チャネルを閉じる最適遅延の所定期間が、開チャネルを閉じる前に、別の装置資源がそのチャネルを使用するときにリセットされる請求項２５記載の装置。
【請求項２７】
通信チャネルを閉じる最適遅延が、特定の装置資源が開チャネルを横切って通信することに基づく請求項２５記載の装置。
【請求項２８】
装置が、開チャネルのデフォルトの所定期間を含み、最適遅延が、デフォルトの所定期間の経過前に、開チャネルを閉じる請求項２７記載の装置。
【請求項２９】
装置が、ネットワークを横切って１つ以上のサーバと選択的に通信する請求項２４記載の装置。
【請求項３０】
装置が、無線通信能力を含む請求項２４記載の装置。
【請求項３１】
装置が、セルラ遠隔通信装置である請求項３０記載の装置。
【請求項３２】
装置資源が通信チャネルの使用を中断した後で、通信チャネルを閉じる最適遅延が、装置資源が使用するデータに基づいて判断される請求項２５記載の装置。
【請求項３３】
装置資源が使用するデータが、装置上に記憶される請求項３２記載の装置。
【請求項３４】
コンピュータネットワーク上で通信チャネルを選択的に開閉するコンピュータ装置に命令するプログラムを記憶するコンピュータ読み出し可能な記憶媒体であって、装置が複数の装置資源を含み、複数の装置資源が、通信チャネルを選択的に使用して、ネットワークを横切って他の装置と通信し、
プログラムからの命令により、コンピュータ装置が
該装置から該ネットワークへ通信チャネルを選択的に開くステップと、
装置資源が通信チャネルの使用を中断した後で、該装置が通信チャネルを閉じるのを最適に遅らせるステップと、
開通信チャネルを閉じる前に、該装置が、他の装置資源がそのチャネルを使用することを選択的に許可するステップと、
通信チャネルを閉じる最適遅延の決定情報を前記コンピュータネットワーク上に接続された１つ以上のサーバから受信するステップとを行うプログラムを記録したコンピュータ読み出し可能な記憶媒体。
【請求項３５】
前記プログラムが、所定期間の経過後に、通信チャネルを閉じるステップを行うようにコンピュータ装置に命令する、請求項３４記載のコンピュータ読み出し可能な記憶媒体。
【請求項３６】
前記プログラムが、開チャネルを閉じる前に、別の装置資源がそのチャネルを使用するとき、通信チャネルを閉じる最適遅延の所定期間をリセットするステップを行うようにコンピュータ装置にさらに命令する、請求項３４記載のコンピュータ読み出し可能な記憶媒体。
【請求項３７】
前記プログラムは、通信チャネルを閉じるステップが、特定の装置資源が開チャネルを横切って通信することに基づくようにコンピュータ装置に命令する、請求項３５記載のコンピュータ読み出し可能な記憶媒体。
【請求項３８】
通信チャネルを閉じるステップが、デフォルトの所定期間経過後に、通信チャネルを閉じることであり、前記プログラムが、デフォルトの所定期間経過前に、開チャネルを閉じるステップを行うようにコンピュータ装置にさらに命令する、請求項３５記載のコンピュータ読み出し可能な記憶媒体。
【請求項３９】
前記プログラムが、装置資源が使用するデータを、ネットワークを横切って別の装置へ伝送するステップを行うようにコンピュータ装置にさらに命令する、請求項３４記載のコンピュータ読み出し可能な記憶媒体。
【請求項４０】
前記プログラムが、装置資源が使用するデータを記憶するステップを行うようにコンピュータ装置にさらに命令する、請求項３４記載のコンピュータ読み出し可能な記憶媒体。
【請求項４１】
前記プログラムが、記憶されている装置資源が使用するデータを、ネットワークを横切って別の装置へ伝送するステップを行うようにコンピュータ装置にさらに命令する、請求項４０記載のコンピュータ読み出し可能な記憶媒体。